(57)【要約】【課題】安価な構造で銀イオンの溶出を行うイオン溶出装置を有する洗濯機を提供する。【解決手段】洗濯兼脱水槽１５の内底部に回転自在に軸支した衣類撹拌用のパルセータ１８の回転により、洗濯兼脱水槽１５の側壁にパルセータ１８外周と洗濯兼脱水槽１５上部に配した流体バランサー１７内周部とを連接し洗濯兼脱水槽１５内部へ洗濯水を吐出可能とした循環水路３２と、循環水路３２の吐出口３６に取り付けたフィルター枠体３５に網袋３４を装着した糸屑捕集フィルター３３とを備え、糸屑捕集フィルター３３は、吐出口３６部分に銀イオンを練り込んだ小片状の銀クリスタル材４を封入した収納部を構成したもので、洗濯兼脱水槽中の洗濯水に銀イオンを簡単かつ安価に組み込む事ができ、溶解度を高めて溶出させ、その補充や取替えも簡単にできる。【選択図】図２
2010119632.tif 000002
【特許請求の範囲】
【請求項１】
洗濯機の水を溜める水槽と、前記水槽内に配した側壁に多数の脱水孔を有する洗濯兼脱水槽と、前記水槽に給水する電磁力により開閉可能な給水弁と、前記洗濯兼脱水槽の内底部に回転自在に軸支した衣類撹拌用のパルセータと、前記洗濯兼脱水槽上部内周に配した流体を封入した振動吸収用の流体バランサーと、前記洗濯兼脱水槽の側壁に前記パルセータ外周と前記流体バランサー内周部とを連接し前記洗濯兼脱水槽内部へ洗濯水を吐出可能とした循環水路と、前記循環水路の吐出口に着脱自在に取り付けたフィルター枠体に網袋を装着した糸屑捕集フィルターとを備え、前記糸屑捕集フィルターは、吐出口部分に銀イオンを練り込んだ小片状の銀クリスタル材を封入した収納部を構成した洗濯機の銀イオン溶出装置。
【請求項２】
銀イオン溶出装置は、循環水路の吐出口に着脱自在に取り付けた糸屑捕集フィルターを上下二つの部屋とし、下方の先端網部に銀イオンを練り込んだ小片状の銀クリスタル材を封入した構成の請求項１に記載の洗濯機の銀イオン溶出装置。
【請求項３】
銀イオン溶出装置は、循環水路の吐出口に着脱自在に取り付けた糸屑捕集フィルターのフィルター枠体に回動自在に軸支させた円筒形状の収納装置を装着し、前記収納装置の内部に銀イオンを練り込んだ小片状の銀クリスタル材を封入した構成の請求項１に記載の洗濯機の銀イオン溶出装置。
【発明の詳細な説明】
【技術分野】
【０００１】
本発明は、抗菌性のある銀イオンを洗濯水の中に溶出するイオン溶出装置を備えた洗濯機に関するものである。
【背景技術】
【０００２】
従来、この種の洗濯機は、洗濯物を清潔に仕上げる為に、洗濯を行う際の洗濯水やすすぎ水の給水時に金属イオンを溶出させ殺菌作用を衣類に与える構成が提案されている（例えば、特許文献１参照）。
【０００３】
図９、１０は、特許文献１に記載された従来の洗濯機の金属イオン溶出装置を示すものである。
【０００４】
図９の洗濯機断面図に示すように、洗濯機の外箱９０上方に配置したバックパネル５２内部に電磁的に開閉する給水弁５０と洗濯槽１３０内部に臨む位置に給水口５３を配し、給水弁５０と給水口５３の間にイオン溶出ユニット１００を配管する。
【０００５】
イオン溶出ユニット１００は、図１０のイオン溶出装置の水平断面図に示すように、ケース１１０は、洗濯水の流入口１１１と流出口１１２を有し、内部に銀プレート等で構成した電極１１３，１１４を、距離を隔てて配置し、ケース１１０の内部を給水中に電圧印加することにより、陽極においてＡｇ→Ａｇ+＋ｅ-の反応が起こり、水中に銀イオン（Ａｇ+）が溶出し衣類に付着する構成である。
【特許文献１】特開２００４−１７３７１７号公報
【発明の開示】
【発明が解決しようとする課題】
【０００６】
しかしながら、前記従来の構成では、構造が複雑で且つ、高価な部品を使用し電極などの制御部品等が必要であり、一般的な洗濯機には組込が難しかった。そのため高級タイプの洗濯機にしか使用することができない、という課題を有していた。
【０００７】
本発明は、前記従来の問題を解決するもので、安価な構造で銀イオンの溶出を長期間にわたり安定して効率良く行うことのできるイオン溶出装置を有する洗濯機を提供することにある。
【課題を解決するための手段】
【０００８】
前記従来の課題を解決するために、本発明の洗濯機の銀イオン溶出装置は、洗濯兼脱水槽の内底部に回転自在に軸支した衣類撹拌用のパルセータの回転により、洗濯兼脱水槽の側壁にパルセータ外周と洗濯兼脱水槽上部に配した流体バランサー内周部を連接し洗濯兼脱水槽内部へ洗濯水を吐出可能とした循環水路と、前記循環水路の吐出口に着脱自在に取り付けたフィルター枠体に網袋を装着した糸屑捕集フィルターとを備え、前記糸屑捕集フィルターは、吐出口部分に銀イオンを練り込んだ小片状の銀クリスタル材を封入した収納部を構成したものである。これによって、洗濯兼脱水槽中の洗濯水に銀イオンを簡単かつ安価に組み込む事ができ、溶解度を高めて溶出させ、その補充や取替えも簡単に可能としたものである。
【発明の効果】
【０００９】
本発明の洗濯機の銀イオン溶出装置は、抗菌作用のある銀イオンの溶出を安価で簡単な構造で行うことができる。また、一般的に糸屑捕集フィルターはどの機種も同一取付構造にしており簡単に銀イオンの溶出構成の機能アップをすることが出来る。
【発明を実施するための最良の形態】
【００１０】
第１の発明は、洗濯機の水を溜める水槽と、前記水槽内に配した側壁に多数の脱水孔を有する洗濯兼脱水槽と、前記水槽に給水する電磁力により開閉可能な給水弁と、前記洗濯兼脱水槽の内底部に回転自在に軸支した衣類撹拌用のパルセータと、前記洗濯兼脱水槽上部内周に配した流体を封入した振動吸収用の流体バランサーと、前記洗濯兼脱水槽の側壁に前記パルセータ外周と前記流体バランサー内周部とを連接し前記洗濯兼脱水槽内部へ洗濯水を吐出可能とした循環水路と、前記循環水路の吐出口に着脱自在に取り付けたフィルター枠体に網袋を装着した糸屑捕集フィルターとを備え、前記糸屑捕集フィルターは、吐出口部分に銀イオンを練り込んだ小片状の銀クリスタル材を封入した収納部を構成したことにより、糸屑捕集フィルターに銀イオン溶出装置を組み込んだので、循環水が自動的に銀イオンを溶出するので簡単かつ安価に構成ができ、その補充や取替えも簡単にできるものでる。
【００１１】
第２の発明は、特に、第１の発明の銀イオン溶出装置を、循環水路の吐出口に着脱自在に取り付けた糸屑捕集フィルターを上下二つの部屋とし、下方の先端網部に銀イオンを練り込んだ小片状の銀クリスタル材を封入したことにより、強力な流れの水流を、網袋の中に収納した銀イオン溶出装置の内部に洗濯水を通す事が出来るため、銀クリスタル材より銀イオンを強く洗濯水に溶解することが出来るので、効果の高い抗菌作用が発揮できる。
【００１２】
第３の発明は、特に、第１または第２の発明の銀イオン溶出装置を、循環水路の吐出口に着脱自在に取り付けた糸屑捕集フィルターのフィルター枠体に回動自在に軸支させた円筒形状の収納装置を装着し、前記収納装置の内部に銀イオンを練り込んだ小片状の銀クリスタル材を封入したことにより、中に収納した銀クリスタル材を回動させながら洗濯液を通過させる事ができるため極めて効率よくＡｇイオンが洗濯液のなかに流出させる事が可能になる。また、糸屑捕集装置は着脱自在に装着固定されているため、銀イオン溶出装置の補充や交換が簡単に可能となる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態の洗濯機の縦断面図、図２は、同洗濯機の銀イオン溶出装置部斜視図、図３は、同洗濯機の銀イオン溶出装置部縦断面図を示す。
【００１５】
図１において、洗濯機の本体１１は、内部に洗濯兼脱水槽１５を回転自在に内設した水槽１３をサスペンション１２により懸垂防振支持している。
【００１６】
洗濯兼脱水槽１５は、側壁に多数の脱水孔１６を有するとともに、上部内周に振動吸収用の流体バランサー１７を有し、中央底部にはパルセータ１８を回転自在に配設する。
【００１７】
洗濯・脱水軸１４は中空で２軸構造とし、水槽１３の外底部の伝達機構部１９の内部の減速ギアおよびクラッチ（図示せず）で、洗濯・脱水軸１４の回転切り換えを行い、モータ２０の回転を洗濯時にはパルセータ１８に、脱水時に洗濯兼脱水槽１５にそれぞれ回転伝達する。
【００１８】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。上部枠体２４の前方側の内部には、制御装置２７を配し、後方側の内部には、水道蛇口（図示せず）と給水ホース３０で連結した電磁力により開閉可能な給水弁２８を配設している。
【００１９】
洗濯兼脱水槽１５の側壁の一部に、パルセータ１８下面より流体バランサー１７の下面に至るまで通路カバー４４にて樋（とい）状の循環水路３２を形成し、流体バランサー１７側の吐出口３６には網状の袋で構成した糸屑捕集フィルター３３を着脱自在に装着させて、パルセータ１８の回転により上方への循環水流により糸屑やごみ等を糸屑捕集フィルター３３により捕集する。そして糸屑捕集フィルター３３の内部に銀クリスタル材４を配置する。
【００２０】
図２の斜視図において、循環水路３２の吐出口３６に、着脱自在にフィルター枠体３５を装着するとともに、フィルター枠体３５に網袋３４を一体に成型して糸屑捕集フィルター３３を構成する。さらに網袋３４内方に銀クリスタル材４を収納したネット材の収納部４１を配置し、収納部４１は、収納部取付枠４２を糸屑捕集フィルター３３のフィルター枠体３５に係着することで保持される。
【００２１】
前記銀クリスタル材４は、主材料に水溶性の三酸化二硼素（Ｂ２Ｏ３）に銀を練り込んだ部材として粒子状の固形物状態に加工された多数の小片として構成している。
【００２２】
図３の縦断面図において、循環水路３２から送水された洗濯水は、流体バランサー１７の断面円弧状の内壁４３に沿って流れ、糸屑捕集フィルター３３のフィルター枠体３５の開口部２２から網袋３４および収納部４１に流れ込む。
【００２３】
以上のように構成された洗濯機の銀イオン溶出装置について以下その動作、作用を説明する。
【００２４】
制御装置２７からの信号により洗濯運転が開始し、電磁力により開閉可能な給水弁２８が開放されることにより給水ホース３０から水槽１３および洗濯兼脱水槽１５の中に給水された洗濯水は、水槽１３および洗濯兼脱水槽１５のなかに満水状態に給水され、洗濯兼脱水槽１５の中に投入された洗濯物をパルセータ１８により撹拌し洗濯やすすぎ行程が進行する。その時に、パルセータ１８の回転が開始するとその回転遠心力により洗濯兼脱水槽１５の循環水路３２の中に洗濯液が循環して流れる事により糸屑捕集フィルター３３の中に洗濯液が吐出され、同時に銀クリスタル材４を収納したネット材の収納部４１にも洗濯液が流れ込み、収納部４１に収納された内部の銀クリスタル材４から洗濯液の中に溶出され、その結果、銀クリスタル材４の中に練り込まれている銀イオン（Ａｇ＋）が水中に溶出し衣類に付着し、洗濯物の抗菌処理をする事が出来る。
【００２５】
なお、図１〜３の実施例では、銀イオン溶出するための銀クリスタル材４を糸屑捕集フィルター３３の網袋３４の内方に配置した収納部４１に収納しているが、これは糸屑捕集フィルター３３内部に封入する銀クリスタル材４の容量や、洗濯機の洗濯容量によりその配置を設定すればよく、糸屑捕集フィルター３３の吐出水が通過する事が出来れば同様の効果が期待できる。
【００２６】
（実施の形態２）
図４は、本発明の第２の実施の形態における洗濯機の縦断面図であり、図５は、同洗濯機の銀イオン溶出装置部斜視図を示す。
【００２７】
図４において、糸屑捕集装置の網袋を糸屑捕集フィルター３３の網袋３４と、その先端網部３７との二つの部屋で構成し、上方側の部屋である網袋３４は糸屑を捕集箇所とし、下方の部屋である先端網部３７を銀クリスタル材４を収納するものとする。
【００２８】
図５の斜視図において上部の網袋３４と、下方の先端網部３７とは、繋ぎ目４０にて分割されている。この繋ぎ目４０は、上部の網袋３４と下方の先端網部３７とを同一網の素材で構成する場合には、糸素材による縫い目とし、上部の網袋３４と下方の先端網部３７とを別部材とする場合は、ファスナー等で着脱自在に構成する。
【００２９】
以上のように構成された洗濯機の銀イオン溶出装置について以下その動作、作用を説明する。
【００３０】
銀イオン溶出装置である糸屑捕集装置の網袋を、二つの部屋に分けて上方側の部屋は従来のように糸屑を捕集させ、また、網袋の下方の先端網部３７にはＡｇクリスタル剤４を収納させたので、糸屑はまず上方の網袋３４に捕集され、さらに流れた洗濯水がフィルター下方の先端網部３７収納された銀クリスタル材４に接触し銀イオン溶出が洗濯水に進行する。
【００３１】
従って、糸屑捕集の処理能力を低下させること無く、かつ銀クリスタル材４の収納を簡単な構成で実現できる。
【００３２】
（実施の形態３）
図６は、本発明の第３の実施の形態における洗濯機の縦断面図であり、図７は、同洗濯機の銀イオン溶出装置部斜視図、図８は、同洗濯機の銀イオン溶出装置部縦断面図を示す。
【００３３】
図６において、循環水路３２の流体バランサー１７側の吐出口３６に着脱自在に装着した糸屑捕集フィルター３３のフィルター枠体３５に、円筒状の収納装置３９を回動自在に保持する。
【００３４】
図７の斜視図において、外周面に多数の透穴３８を有する円筒形状の収納装置３９は、軸４５を中心に回動自在にフィルター枠体３５に保持され、かつ糸屑捕集フィルター３３の網袋３４内方に配置する。
【００３５】
図８の断面図において、銀クリスタル材４は、円筒形状の収納装置３９内部に収納され、フィルター枠体３５の着脱と共に装着される。
【００３６】
以上のように構成された洗濯機の銀イオン溶出装置について以下その動作、作用を説明する。
【００３７】
洗濯行程やすすぎ行程中のパルセータ１８の撹拌により、洗濯液が循環水路３２を流体バランサー１７側の吐出口３６に設けられた糸屑捕集フィルター３３へ放出されるときの強力な水流を、円筒形状の収納装置３９に当てて内部の銀クリスタル材４に通過させるため、銀クリスタル材４をより強く洗濯水に溶かすことができ、かつ回転により、内部の銀クリスタル材４を均一に溶解させていくので、円滑な溶解により銀イオンを洗濯物に付着させ抗菌効果を効果的に発揮させることが可能となる。
【００３８】
また、糸屑捕集フィルター３３部に構成しているので、銀イオン溶出装置の銀クリスタル材４の取替え補充が簡単にできることが可能となる。
【００３９】
以上のように、本実施の形態１〜３においては、洗濯機の循環水を効率よく銀クリスタル材収納箇所を通過させて銀イオンを溶出させ、洗濯槽内で洗濯される衣類を簡単に銀イオンを付着させる構成であり、特別な電気分解等の構成を必要とせず、簡単な構成で安価に実現できる。
【００４０】
また、本実施の形態の、銀イオン溶出装置を糸屑捕集フィルターの吐出口に配置したので、強い水流で溶解を高める為により強い抗菌効果を発揮させることが出来るとともに、一般的に糸屑捕集フィルターは、製品の高級タイプ、低級タイプを問わずあらゆる機種に同一取付け構造としているのが一般的であり、本実施例は簡単に銀イオン溶出機能を追加させることが出来る構成である。
【産業上の利用可能性】
【００４１】
以上のように、本発明にかかる洗濯機の銀イオン溶出装置は、抗菌作用のある銀イオンの溶出を安価で簡単な構造で行うことが出来るので、抗菌性のある銀イオンを洗濯水の中に溶出するイオン溶出装置を備えた洗濯機に有用である。
【図面の簡単な説明】
【００４２】
【図１】本発明の実施の形態１における洗濯機の縦断面図
【図２】同洗濯機の銀イオン溶出装置部斜視図
【図３】同洗濯機の銀イオン溶出装置部縦断面図
【図４】本発明の実施の形態２における洗濯機の縦断面図
【図５】同洗濯機の銀イオン溶出装置部斜視図
【図６】本発明の実施の形態３における洗濯機の縦断面図
【図７】同洗濯機の銀イオン溶出装置部斜視図
【図８】同洗濯機の銀イオン溶出装置部縦断面図
【図９】従来の洗濯機の断面図
【図１０】同洗濯機のイオン溶出装置の水平断面図
【符号の説明】
【００４３】
３    銀イオン溶出装置
４    銀クリスタル材
１３  水槽
１５  洗濯兼脱水槽
１６  脱水孔
１７  流体バランサー
１８  パルセータ
２８  給水弁
３２  循環水路
３３  糸屑捕集フィルター
３４  網袋
３５  フィルター枠体
３６  吐出口
３７  先端網部
３９  収納装置
４１  収納部
４４  通路カバー
【図１】
2010119632.tif 000003
【図２】
2010119632.tif 000004
【図３】
2010119632.tif 000005
【図４】
2010119632.tif 000006
【図５】
2010119632.tif 000007
【図６】
2010119632.tif 000008
【図７】
2010119632.tif 000009
【図８】
2010119632.tif 000010
【図９】
2010119632.tif 000011
【図１０】
2010119632.tif 000012